(57)【特許請求の範囲】
【請求項１】
矩形状のパネルの周側面をそれぞれ支柱に取り付けられるようにした展示用パネルにおいて、
前記支柱の側面にはその先端を上方に向けて延設された受フックが設けられ、
前記受フックはその内側面を前記支柱側面との間隔が上方に向けて次第に拡開するように斜面状に形成され、
前記パネルの周側面には該パネルの周縁に沿って凹溝が形成され、前記凹溝には掛フックが設けられると共に該凹溝は該掛フックが隠れる深さを有し、
前記掛フックは前記パネルの凹溝を前記支柱の側面に対向させた際、その先端が下方へ向くように延設されていると共にその内側面は前記凹溝との間隔が下方に向けて次第に拡開するように斜面状に形成され、
前記支柱は、その各側面を長手状の溝の底部とするように各側面の両縁よりそれぞれ目隠し壁部が延設され、前記目隠し壁部は前記受フックが隠れる高さを有し、
前記支柱の受フックに対し上部から前記パネルの掛フックを係合させ、前記パネルの荷重が前記掛フックを介して前記受フックにより支持されることにより、前記パネルが前記支柱に取着されるようにしたことを特徴とする展示用パネル。
【発明の詳細な説明】
【技術分野】
【０００１】
本発明は、パネルを支柱に取り付けるための係合部材を備えた展示用パネルに関するものである。
【背景技術】
【０００２】
展示会やイベントなどにおいて使用されている展示用パネルは、一般に様々な展示物に応じて利用できるようにパネルを支柱から取り外し可能に構成されている。さらに、会場や用途に合わせて展示パネルを直列に連結したり、あるいは、垂直に連結して組合わせることでＬ字形やコ字形などの多様な空間を作ることが可能に構成されている。
【０００３】
従来の展示用パネルは、例えば、所定間隔を隔てて左右一対の支柱が立設され、それぞれの支柱の側面には係合孔が上下方向に間隔をもって複数形成されている。そして、パネルの側面に突出して形成されたフックを支柱の係合孔に係合させることでパネルの取付けを行っている。このような展示用パネルのフックは、パネルを縦横何れの方向でも利用できるようにパネルの四側面にそれぞれ複数形成されている。さらに、支柱の係合孔は、パネルを直列及び垂直に連結させて利用できるように支柱の四側面に形成されている。しかしながら、このような展示用パネルは、支柱に取り付けた状態においてパネルの上下の側面に常に不使用のフックが突出しており、そのフックは来場者の目につきやすく、見栄えを損ね展示用パネルとして体裁が悪いものであった。また、このような展示会場では、小さい子供などがパネルの下をくぐりぬける可能性もあり、フックによって怪我をするおそれもある。
【０００４】
そこで出願人は、特許文献１に見られるように、パネル１を支柱３に取付ける際の係止金具１３を容易に着脱できる構成とした展示用パネルを先に提案している。この展示用パネルの係止金具１３は平板形状をしており、その下側片の中央部に切り込み１４が形成されている。一方、パネル１には係止金具１３を挿通固定する係留具１７が設けられ、係留具１７にはコイルばね２８の力で係止金具１３の切込み１４に嵌入するストッパ２７が設けられている。そして、不使用時に係止金具１３をパネル１から取り外す際は、係止金具１３を押し下げることでストッパ２７を切り込み１４から外し（図１４）、そのまま係止金具１３を右斜め下向きに軽く引き抜くことで係止金具１３をパネル１から取り外す構成としている。
【先行技術文献】
【特許文献】
【０００５】
【特許文献１】特開平８−２４８８９３号公報
【発明の概要】
【発明が解決しようとする課題】
【０００６】
上記特許文献１に記載されている展示用パネルは、係止金具１３を取り外すことにより、係止金具１３がパネル１の上下の側面に突出した状態で起こり得る見栄えと安全性についての問題は解決できるものの、係止金具１３を取り外すという作業が発生してしまう。この作業により、組立時の作業効率が悪くなるといった改良すべき余地が残されていた。さらに、展示用パネルの使用後、支柱３から取り外されたパネル１の左右の側面には係止金具１３が突出された状態となる。よって、展示用パネルの解体、搬送時及び収納時において、パネル１の左右の側面から突出した係止金具１３によって他のパネル１を傷つけてしまうおそれもある。また、これを回避しようとその度にパネル１の左右の側面から係止金具１３を取外す作業を行うとすると、解体時の作業効率も悪くなってしまうと共に、次回の組立時に再度係止金具１３の取り付け作業が発生してしまう。
【０００７】
そこで本発明は、これらの問題点を解決すべくなされたもので、組立及び解体において係止金具の取り付けや取り外し作業が不要となり作業効率の向上を可能とし、さらに、展示用パネルの外観を損ねず安全に利用できる展示用パネルを提供することを目的とするものである。
【課題を解決するための手段】
【０００８】
かかる目的を達成するため請求項１に係る発明は、矩形状のパネルの周側面をそれぞれ支柱に取り付けられるようにした展示用パネルにおいて、前記支柱の側面にはその先端を上方に向けて延設された受フックが設けられ、前記受フックはその内側面を前記支柱側面との間隔が上方に向けて次第に拡開するように斜面状に形成され、前記パネルの周側面には該パネルの周縁に沿って凹溝が形成され、前記凹溝には掛フックが設けられると共に該凹溝は該掛フックが隠れる深さを有し、前記掛フックは前記パネルの凹溝を前記支柱の側面に対向させた際、その先端が下方へ向くように延設されていると共にその内側面は前記凹溝との間隔が下方に向けて次第に拡開するように斜面状に形成され、
前記支柱の受フックに対し上部から前記パネルの掛フックを係合させ、前記パネルの荷重が前記掛フックを介して前記受フックにより支持されることにより、前記パネルが前記支柱に取着されるようにしたことを特徴としている。
【０００９】
また、請求項２に係る展示用パネルは、前記受フックの先端あるいは前記掛フックの先端の少なくとも一方が、その内側に向って突出する凸部を有していることを特徴としている。ここでいう凸部とは、フックの先端であってその内側面から内側に突出したものであれば良く、具体的には、フックの幅方向全体にわたって内側に突出させた凸面、あるいは、フックの幅方向における一部分のみ突出させた凸部などが挙げられる。好ましくは、フックの斜面状部から内側に円弧状に突出した凸曲面などが考えられる。
【００１０】
さらに、請求項３に係る展示用パネルの支柱は、その各側面を長手状の溝の底部とするように各側面の両縁よりそれぞれ目隠し壁部が延設され、前記目隠し壁部は前記受フックが隠れる高さを有することを特徴としている。
【００１１】
また、本発明に係る展示用パネルにおいて、前記支柱に設けられる受フックの延出方向と直交する方向の幅は、前記パネルの凹溝の幅とほぼ同等であることを特徴としている。
【発明の効果】
【００１２】
本発明に係る展示用パネルにおいて、パネルの凹溝は掛フックが隠れる深さを有しているので、掛フックはパネルの凹溝内に位置している。すなわち、正面から展示用パネルを見た際に支柱に取り付けられていないパネル上下側面の掛フックは見えない構成となっている。また、支柱の各側面の両縁よりそれぞれ目隠し壁部が延設され、目隠し壁部は受フックが隠れる高さを有するので、正面から展示用パネルを見た際にパネルが取り付けられていない側の支柱側面の受フックは見えない構成となっている。したがって、組み立てられた展示用パネルにおいて、掛フック及び受フックは隠れて見えず見栄えが良く、安全である。また、組立及び解体を行うときに他のパネルに傷をつけるおそれもなく、さらには、掛フック及び受フックを着脱する必要が無く作業効率が向上する。また、支柱の受フックに対し上部からパネルの掛フックを係合させることでパネルが支柱に取着されるため、支柱に掛フックを受け入れるための孔等を形成する工程が不要になる。
【００１３】
さらに、パネルが支柱に支持された状態において、パネルの荷重が掛フックを介して受フックにより支持され、安定した状態でパネルを使用することできる。また、受フックの延出方向と直交する方向の幅を、パネルの凹溝の幅とほぼ同等に設定することにより、前後方向のがたつきも起こらなくよりパネルが安定したものとなる。
【図面の簡単な説明】
【００１４】
【図１】本発明に係る展示用パネルを複数連結させた状態の全体斜視図。
【図２】パネルの斜視図、及び一部拡大図。
【図３】係合部材の斜視図。
【図４】パネルに取付けられた係合部材について、（ａ）は平面図（図２のｘ−ｘ断面図）、（ｂ）は同正面図、（ｃ）は同側断面図（（ａ）のｙ−ｙ断面図）。
【図５】支柱の斜視図、及び一部拡大図。
【図６】支柱に取付けられた係合部材について、（ａ）は平面図（図５のｘ−ｘ断面図）、（ｂ）は同正面図、（ｃ）は同側断面図（（ａ）のｙ−ｙ断面図）。
【図７】（ａ）はパネルを支柱に取り付けた状態の部分平面図、（ｂ）は（ａ）のｚ−ｚ断面図。
【図８】第２実施形態の係合部材を用いた展示用パネルの部分断面図。
【図９】第３実施形態の係合部材の斜視図。
【図１０】第３実施形態の係合部材を用いた展示用パネルの部分断面図。
【図１１】第３実施形態の係合部材の変形例の斜視図。
【図１２】第４実施形態の係合部材の斜視図。
【図１３】第４実施形態の係合部材を用いた展示用パネルの部分断面図。
【発明を実施するための形態】
【００１５】
〔第１実施例〕
以下、本発明に係る展示用パネルの実施の形態を図面に基づき説明する。展示用パネル１は、パネル１０と、パネル１０の左右両端に立設する一対の支柱２０，２０とから概略構成されており、図１は、複数のパネル１０を連結させた例である。図１に示したように本実施形態の展示用パネル１は、支柱２０の各側面に対し、それぞれパネル１０を縦横何れの向きでも着脱可能に取り付けられると共に、一本の支柱２０に対して複数枚のパネル１０を取付けることができる（図１の例では支柱２０ｘにパネルが３枚取付けられている）。
【００１６】
前記パネル１０は、図２の斜視図で示したように長方形状のパネル本体１１の四側辺周縁に縁枠１２を嵌着して形成されている。縁枠１２は、パネル本体１１の側端面に当接し（図４（ａ）参照）、パネル本体１１の厚みに合致する平板部１２ａと、その平板部の幅方向両端に断面Ｈ形状となるように形成された側板部１２ｂとからなる。側板部１２ｂ，１２ｂ間には、平板部１２ａを介して内側と外側にそれぞれ長手方向に沿って嵌着溝１３と凹溝１４が形成されている。そして、内側の嵌着溝１３にはパネル本体１１の外周縁が嵌入されているのに対し、外側の凹溝１４はそのまま開放されており各側板部１２ｂ，１２ｂの外側先端１２ｃ，１２ｃは互いに内側へ屈曲されている。また、凹溝１４内にはそれぞれ、後述する係合部材３０，３０，・・・が取付けられており、パネル１０の短手方向の側端面の凹溝１４には、その両端の２箇所に係合部材３０，３０が取付けられている。さらに、パネル１０の長手方向の側端面の凹溝１４には、前記短手方向に取付けられた係合部材３０，３０の間隔と同じ間隔をあけるようにして、その中間位置及び一端に係合部材３０，３０が取付けられている。
【００１７】
係合部材３０は、図３に示したように金属製の板状部材を屈曲させて断面略く字形状に形成されたものであり、パネル縁枠１２の平板部１２ａに宛がう基部３１と、所定角度（約１０°〜２０°）屈曲された係止片３２とから構成されている。基部３１には、パネル縁枠１２にリベットあるいは螺子等で取り付け可能なように孔３３が穿設されている。図４は、この係合部材３０をパネル縁枠１２に取付けた場合の（ａ）平面図（図２のｘ−ｘ断面図）、（ｂ）正面図、及び（ｃ）側断面図（（ａ）のｙ−ｙ断面図）である。係合部材３０は、その係止片３２を下方にしてパネル１０に取り付けられている。係合部材３０の幅は、パネル縁枠１２の各側板部先端１２ｃ，１２ｃ間の距離と略同じに設定され、凹溝１４内に収まる幅となっている。また、係合部材３０の係止片３２の先端は下方へ向けて外側に傾斜し、パネル縁枠１２の側板部１２ｂより外側に突出せず凹溝１４内に収まっている。さらに、係止片３２の傾斜した下向きの面は、後述する支柱２０側に取り付けられるもう一方の係合部材３０と係合する当接面３４となる。
【００１８】
前記支柱２０は、パネル１０の両側方に立設してパネル１０を支持する金属製（アルミなど）の角筒状のパイプであって、図５に示すようにその下端で脚部２１に固着されて鉛直に起立している。支柱２０の各側面２０ａ，２０ａ・・・にはそれぞれ長手方向に所定の間隔をあけて、係合部材３０を取り付けるためのリベット用の孔２２が上方位置及び略中間位置の２箇所に穿設されている。そして、この孔２２に合わせて、係合部材３０がその係止片３２を上向きにして固着されることで、支柱２０の上方位置及び略中間位置の２箇所に係合部材３０が取付けられている。この支柱２０に取付けられた係合部材３０，３０に、前述したパネル１０に取付けられた係合部材３０，３０を係合させることで、パネル１０を支柱２０へ取り付けることが可能となる。また、支柱の４隅２０ｂ，２０ｂ・・・から矩形断面の中空状部分２３を囲繞するようにして断面略井形状に、目隠し壁部２４，２４，・・・が支柱２０の長手方向に沿って延設されている。そして、支柱の側面２０ａを介さない隣り合う目隠し壁部２４，２４の先端間には、緩やかな曲線状の弧状曲面部２６が形成されている。また、支柱２０の側面２０ａには、その長手方向に沿って極浅い溝２７が形成されている。
【００１９】
図６は、支柱２０に係合部材３０を取付けた場合の（ａ）平面図（図５のｘ−ｘ断面図）、（ｂ）正面図、及び（ｃ）側断面図（（ａ）のｙ−ｙ断面図）である。支柱２０に形成された溝２７は、係合部材３０の幅と略同じ幅であるので係合部材３０がちょうど嵌まり、係合部材３０を固着する際の幅方向の位置決めとして使用される。また、係合部材３０の係止片３２の先端は上方へ向けて外側に傾斜し、支柱２０の目隠し壁部２４より外側に突出せず、目隠し壁部２４により隠れる構成となっている。ここで、係止片３２の傾斜した上向きの面は、前述したパネル１０側に取付けられた係合部材３０と当接する当接面３４である。このように、係合部材３０は、パネル１０及び支柱２０のそれぞれに係止片３２の向きを上下変えて取付けることで、パネル１０及び支柱２０に共通に取り付けて使用できる部材である。
【００２０】
次に、係合部材３０ｐが取付けられたパネル１０を、係合部材３０ｓが取付けられた支柱２０に取り付ける方法について説明する。まず、パネル１０の左右の側端面を、支柱２０への取付位置より僅かに上方において支柱２０の目隠し壁部２４間に位置させる。すなわち、パネル縁枠１２の凹溝１４内に支柱２０側の係合部材３０ｓが位置することになる。そして、そのままパネル１０を下方にスライドさせると（図７（ｂ）の矢印）、パネル１０側の係合部材３０ｐの下向き係止片３２ｐが、支柱２０側の係合部材３０ｓの上向き係止片３２ｓと係合して互いの当接面３４ｐ，３４ｓが当接し、パネル１０が支柱２０に取り付けられる。このように、取付ける際は互いの係合部材３０ｐ，３０ｓを係合させるだけでよい。また、パネル１０を支柱２０から取り外す際は、パネル１０を上方にスライドさせることで係合部材３０ｐ，３０ｓのそれぞれの当接面３４ｐ，３４ｓが離れ、係止片３２ｐ，３２ｓの係合が外れてパネル１０を取り外すことができる。
【００２１】
以上のように、本発明に係る展示用パネル１は、パネル１０の側端面に凹溝１４を形成することにより、係合部材３０が突出せずその凹溝１４内に収まることで、パネルを組立及び解体する際にわざわざパネル１０の上下側面の係合部材３０を取外す必要が無い。すなわち、作業効率が向上するだけでなく、見栄えもよく安全性も高くなる。さらに、本発明に係る展示用パネルの支柱２０は、目隠し壁部２４を形成することで、係合部材３０が側方へ突出せず支柱２０の見栄えも良く、使用していない係合部材３０の取外しをする必要もない。また、パネル１０を支柱２０に取付けた際に、係合部材３０ｐ，３０ｓは板状に形成された当接面３４ｐ，３４ｓにおいて互いに面で当接して係合するため、がたつきが無く安定して利用できる。また、本発明の展示用パネルの支柱２０には目隠し壁部２４が形成されており、パネル１０の縁が目隠し壁部２４内に嵌合するようにして取付けられるため、パネル１０は前後方向にがたつかない。さらに、本実施例の係合部材３０ｓは、その幅寸法がパネル縁枠１２の凹溝の幅寸法略同じに設定されているため、仮に目隠し壁部が形成されていない支柱に取付けた場合でも、支柱の係合部材３０ｓの幅方向の側面がパネルの側縁１２ｃ，１２ｃに当たり、パネルが前後方向にがたつくことはない。
【００２２】
なお、本実施例で示した支柱２０は、矩形断面を有する金属製のパイプとしたが、これに限られず、断面が四角形以外の多角形や円形であってもよい。また、目隠し壁部２４は井形状以外であってもよく、例えば一方向のみにパネル１０を連結する支柱２０というように用途が決まっている場合には、それに合わせて支柱２０の一側面のみに対して目隠し壁部２４，２４を形成すればよい。また、係合部材３０の固着方法はリベットに限らず、取り外しが可能なネジなどにしてもよいことはもちろんである。ここで、支柱の係合部材３０ｓは本発明の受フックに相当し、パネルの係合部材３０ｐは本発明の掛フックに相当する。
【００２３】
〔第２実施例〕
次に、係合部材３０の他の実施例について説明する。図８は、本発明の第２実施例を示すもので、パネル１０における係合部材４０を、パネル縁枠１２の切り起こしとした場合の実施例である。図８において、パネル１０側の係合部材４０以外の構成は前記実施例とほぼ同じであるため、同じ構成部品には同じ符号を付し、構成が異なる部分のみ説明する。この実施形態における係合部材４０は、パネル縁枠１２の平板部１２ａの所定箇所を切り起こすことで係止片４２が成形され、係止片４２はその先端が斜め下方を向くように外側へ所定角度（約１０°〜２０°）屈曲され斜面状に形成されている。係止片４２の幅は、パネル縁枠１２の各側板部先端１２ｃ，１２ｃ間の距離と略同じに設定されていると共に、係止片４２の先端は、側板部１２ｂより外側に突出せず、パネル１０の凹溝１４内に収まっている。さらに、係止片４２の下向きの面は、支柱２０側に取り付けられる係合部材３０ｓの当接面３４ｓに当接する当接面４４である。このように構成された係合部材４０を供えたパネル１０は、前述した実施例と同様にして支柱２０に取り付けられる。すなわち、パネル１０の左右の側端面を、支柱２０への取付位置より僅かに上方において支柱２０の目隠し壁部２４間に位置させ、そのままパネル１０を下方にスライドさせると（図８の矢印方向）、パネル１０側の係合部材４０の係止片４２が、支柱２０側の係合部材３０ｓの上向き係止片３２と係合し、互いの当接面３４ｓ，４４が当接しパネル１０が支柱２０に取付けられる。ここで、支柱２０側に取り付ける係合部材３０ｓは前記実施例と同様のものを利用できる。
【００２４】
このように、パネル１０側の係合部材４０を後付けにせずパネル１０自体にその構成を持たせることにより部品数が減りコストが削減される。また、係合部材４０はパネル１０の凹溝１４内に収まることにより、係合部材４０は側方へ突出せず見栄えが良く、前記実施例と同様の効果も得られる。ここで、支柱２０側の係合部材３０ｓを、パネル側と同様に切り起こして設けても良い。すなわち、支柱の側面２０ａの所定箇所を切り起こして係止片４２を成形し、係止片の先端が斜め上方を向くように外側へ所定角度（約１０°〜２０°）屈曲させる。このようにして、支柱の側面２０ａを切り起こすことで前記実施例と同様にパネル１０の取付も可能となり、同様の効果が得られる。なお、パネルの係合部材は本発明の掛フックに相当し、支柱の係合部材は本発明の受フックに相当する。
【００２５】
〔第３実施例〕
図９及び図１０は、本発明の第３実施例を示すもので、係合部材５０をプラスチック製（ジュラコン等）とした場合の実施例である。この係合部材５０は、図９に示したように略直方体の基部５１と、基部５１から一側面だけ傾斜して延設された係止片５２とからなり、基部５１から係止片５２にかけて段部５３が形成されている。詳しくは、係合部材５０の一側面側は、基部５１から係止片５２にわたり平面状に平坦面５５が形成されている。それに対し、係合部材５０の他側面側であって長手方向略中間位置から係止片５２側には、先端にいくに従って係合部材が薄くなるように斜面状に当接面５６が形成されていると共に、係合部材５０の他側面側であって長手方向略中間位置から基部５１側には、平面状に取付面５７が形成されている。この取付面５７は、係合部材５０をパネル１０あるいは支柱２０へ取付ける際にそれぞれの側面に密着させる面であり、この取付面５７を密着させて基部５１の略中央に穿設された孔５８にリベットやねじなどを挿入することで、係合部材５０をパネル１０あるいは支柱２０に取り付けることができる。係合部材５０の幅は、パネル縁枠１２の各側板部の先端１２ｃ，１２ｃ間の距離と略同じに設定されている。また、係合部材５０の厚さは、パネルの凹溝１４内及び支柱の目隠し壁部２４，２４内に収まるように設定されていると共に、係止片５２の先端面５４の厚さは、段部５３の厚さとほぼ同等に設定されている。
【００２６】
このように構成された係合部材５０は、パネル１０の凹溝１４内にその係止片５２を下向きにして取付けると共に、支柱の側面２０ａにその係止片５２を上向きにして取付ける（図１０）。そして、係合部材５０ｐ，５０ｓが取付けられたパネル１０及び支柱２０は、前述した実施例と同様にして組み立てられる。すなわち、パネル１０の左右の側端面を、支柱２０への取付位置より僅かに上方の支柱２０の目隠し壁部２４，２４間に位置させ、そのままパネル１０を下方にスライドさせると（図１０の矢印方向）、パネル１０側の係合部材５０ｐの係止片５２ｐが、支柱側２０の係合部材５０ｓの係止片５２ｓと支柱２０ａ側面の間に嵌合すると共に互いの当接面５６ｐ，５６ｓが当接することで、パネル１０が支柱２０に係止される。この状態において、支柱側の係止片５２ｓの先端面５４ｓはパネル側の係止片５２ｐの段部５３ｐを支持すると共に、支柱側の係止片５２ｓの段部５３ｓはパネル側の係止片５２ｐの先端面５４ｐを支持している。
【００２７】
このように、係合部材５０はパネル１０の凹溝１４内に収まることにより、係合部材５０が側方へ突出せず見栄えが良く、さらに、展示用パネル１の組立及び解体をする際に係合部材５０の着脱が不要になり作業効率も向上する。また、組み立てられた展示用パネルにおいて、支柱の係合部材５０ｓの幅方向の側面５０ａ，５０ａはパネルの側縁１２ｃ，１２ｃに当るため、パネルが前後方向にがたつくことはない。ここで、本実施例の係合部材５０はプラスチック製としたが、金属製であっても良いことはもちろんである。なお、支柱の係合部材５０ｓは本発明の受フックに相当し、パネルの係合部材５０ｐは本発明の掛フックに相当する。
【００２８】
図１１は、第３実施形態の係合部材の変形例である。この係合部材６０は、図９に示した係合部材５０から取付面５７及び当接面５６を残してその内側をくり抜いた形状をしている。詳しくは、パネル１０又は支柱２０に宛がう基部６１と基部６１から所定角度（約１０°〜２０°）傾斜して延設された係止片６２とから構成され、さらに基部６１から係止片６２にかけて段部６３が形成されている。そして、基部６１及び係止片６２の両側方から側壁６５，６５が平面視コ字形となるように立設している。側壁６５，６５の先端縁６５ａ，６５ａは基部６１と平行であり、その高さ、すなわち係合部材６０の厚さは、パネルの凹溝１４内及び支柱の目隠し壁部２４，２４内に収まるように設定されている。側壁６５の係止片側の先端６４の高さは、段部６３の高さとほぼ同等に設定されている。また、側壁６５，６５間の距離、すなわち係合部材６０の幅は、パネル縁枠１２の各側板部の先端１２ｃ，１２ｃ間の距離と略同じに設定されている。さらに、係止片６２の側壁６５，６５が立設していない側の面には当接面６６、基部６１の側壁６５，６５が立設していない側には平面状の取付面６７が形成されている。この取付面６７は、係合部材６０をパネル１０あるいは支柱２０に取付ける際にそれぞれの側面に密着させる面であり、この取付面６７を密着させて基部６１の略中央に穿設された孔６８にリベットやねじ等を挿入することで、係合部材６０をパネル１０あるいは支柱２０に取り付けることができる。
【００２９】
このように構成された係合部材６０は、パネル１０の凹溝１４内にその係止片６２を下向きにして取付けると共に、支柱２０の側面２０ａにその係止片６２を上向きにして取付けることで、前記第３実施例と同様に組み立てられ、同様の効果を得ることができる。さらに、本実施例の係合部材６０は、第３実施例（図９）の係合部材５０の内側をくりぬいたような形状であるため材料費の削減ができるという効果も奏する。
【００３０】
〔第４実施例〕
図１２及び図１３は、本発明の第４実施例を示すもので、この係合部材７０は、略直方体の基部７１と、基部７１から一側面だけ僅かに傾斜して延設された係止片７２とからなる。詳しくは、係合部材７０の一側面は、基部７１から係止片７２にわたり平面状に平坦面７３が形成されている。それに対し、係合部材７０の基部７１の他側面には、平面状に取付面７４が形成されている。そして、取付面７４から係止片７２側へとの連続する部分は湾曲する凹曲面７５に形成され、さらに係止片７２先端にいくに従って係合部材が薄くなるように斜面状に傾斜面７６が形成されている。係止片７２の先端部分は傾斜面７６から内側に円弧状に突出した凸曲面７７が形成され、凸曲面７７はさらに係止片７２先端から平坦面７３側まで続いて形成されている。取付面７４は、係合部材７０をパネル１０あるいは支柱２０へ取付ける際にそれぞれの側面に密着させる面であり、この取付面７４を密着させて基部７１の略中央に穿設された孔７８にリベットやねじなどを挿入することで、係合部材７０をパネル１０あるいは支柱２０に取り付けることができる。また、係合部材７０の幅は、パネル縁枠１２の各側板部の先端１２ｃ，１２ｃ間の距離と略同じに設定されていると共に、係合部材７０の厚さは、パネルの凹溝１４内及び支柱の目隠し壁部２４，２４内に収まるように設定されている。
【００３１】
このように構成された係合部材７０は、パネル１０の凹溝１４内にその係止片７２を下向きにして取付けると共に、支柱の側面２０ａにその係止片５２を上向きにして取付ける（図１３）。そして、係合部材７０ｐ，７０ｓが取付けられたパネル１０及び支柱２０は、前述した実施例と同様にして組み立てられる。すなわち、パネル１０の左右の側端面を、支柱２０への取付位置より僅かに上方の支柱２０の目隠し壁部２４，２４間に位置させ、そのままパネル１０を下方にスライドさせると（図１３の矢印方向）、パネル１０側の係合部材７０ｐの係止片７２ｐが、支柱２０側の係合部材７０ｓの係止片７２ｓと支柱２０ａ側面の間に嵌合され、パネル１０が支柱２０に係止される。この状態において、支柱側の係止片７２ｓ先端の凸曲面７７ｓはパネル側の係止片７２ｐ基端の凹曲面７５ｐを支持すると共に、支柱側の係止片７２ｓ基端の凹曲面７５ｓはパネル側の係止片７２ｐ先端の凸曲面７７ｐを支持している。すなわち、それぞれの係止部材の凹曲面７５は、凸曲面７７に対応するように湾曲して形成されており、互いに面で当接して係合するので、本発明の展示用パネルはがたつきが無く安定して利用できる。さらに、支柱の係合部材７０ｓの幅方向の側面７０ａ，７０ａはパネルの側縁１２ｃ，１２ｃに当るため、パネルは前後方向にがたつくこともない。
【００３２】
以上のように、本実施例の展示用パネルは安定して利用できると共に、係合部材７０はパネル１０の凹溝１４内に収まることにより、係合部材７０が側方へ突出せず見栄えが良いものとなる。さらに、係合部材の係止片７２ｐ先端を凸曲面７７ｐという丸い形状にしたため、組立てる際、係止片７２ｐ先端を円滑に支柱２０と係合部材７２ｓの間へと挿入できる。また、凸曲面７７が傾斜面７６から内側へ突出しているため、係合状態（図１３）において各傾斜面７６ｓ，７６ｐは接触せず隙間ができスムーズに取外しをすることができる。このように、展示用パネル１の組立及び解体をする際に係合部材７０の着脱が不要になるだけでなく、着脱作業も容易になり作業効率も向上する。ここで、支柱の係合部材７０ｓは本発明の受フックに相当し、パネルの係合部材７０ｐは本発明の掛フックに相当し、さらに、凸曲面７７は本発明の凸部に相当する。
【００３３】
また、全実施例において、支柱に取付ける係合部材とパネルに取付ける係合部材とをそれぞれ共通のものを利用できる。すなわち、係合部材を支柱に取付ける際は係止片を上向きにし、係合部材をパネルに取付ける際は係止片を下向きにし、上下変えることで共通の部材を利用することができる。これにより、係合部材を取り外して利用する場合の作業時の煩雑性が軽減されると共に、係合部材の共通化によりコストが削減される。
【符号の説明】
【００３４】
１        展示用パネル
１０      パネル
１４      凹溝
２０      支柱
２０ａ    支柱側面
２４      目隠し壁部
〔第１実施例〕
３０      係合部材
３０ｓ    係合部材（受フック）
３０ｐ    係合部材（掛フック）
〔第２実施例〕
４０      係合部材（掛フック）
〔第３実施例〕
５０      係合部材
５０ｓ    係合部材（受フック）
５０ｐ    係合部材（掛フック）
６０      係合部材
〔第４実施例〕
７０      係合部材
７０ｓ    係合部材（受フック）
７０ｐ    係合部材（掛フック）
７７      凸曲面（凸部）
【図１】
0005490845.tif 000002
【図２】
0005490845.tif 000003
【図３】
0005490845.tif 000004
【図４】
0005490845.tif 000005
【図５】
0005490845.tif 000006
【図６】
0005490845.tif 000007
【図７】
0005490845.tif 000008
【図８】
0005490845.tif 000009
【図９】
0005490845.tif 000010
【図１０】
0005490845.tif 000011
【図１１】
0005490845.tif 000012
【図１２】
0005490845.tif 000013
【図１３】
0005490845.tif 000014